(57)【要約】【課題】誤印刷を確実に低減することができ、誤印刷による損紙を無くすことができる検査システムを提供する。【解決手段】印刷機の版胴７０に装着された刷版７２の検査を行う検査システム１００である。前記検査システム１００は、前記版胴７０に装着された刷版７２の版面の画像データを取得する撮像装置４０（４０ａ，４０ｂ）と、前記版胴７０に装着された刷版７２の製版に使用された入稿面の画像データを保存する記憶手段１６と、前記記憶手段１６に保存された入稿面の画像データと、前記撮像装置４０によって取得された版面の画像データとを比較して双方の画像データの差分を求め、前記双方の画像データの差分が予め定められた閾値の範囲内にあるか否かを判定する演算手段１４とを有する判定装置１０とを備えることを特徴とする。【選択図】図１
2007260909.tif 000002
【特許請求の範囲】
【請求項１】
印刷機の版胴に装着された刷版の版面の画像データを取得し、
取得した版面の画像データと予め与えられた入稿面の画像データとを比較して双方の画像データの差分を求め、
前記双方の画像データの差分が予め定められた閾値の範囲内にあるか否かを判定し、
印刷機上にて前記版胴に対する刷版の誤装着検出と検版とを合わせて行うことを可能にしたことを特徴とする印刷機の転写部検査方法。
【請求項２】
前記閾値は許容範囲の大小に従って少なくとも２段階に分けて定め、前記双方の画像データの差分が予め定められた閾値の範囲内にあるか否かの判定は、前記閾値の段階毎に異なる結果を示すものとすることを特徴とする請求項１に記載の印刷機の転写部検査方法。
【請求項３】
前記判定において、許容範囲の小さい閾値を超える箇所が存在する判定が成された場合にはベースと異なる色彩を附して表示装置にその画像を表示し、許容範囲の大きい閾値を超える箇所が存在する判定が成された場合にはベースに警告を示す色彩を附して表示装置にその画像を示すことを特徴とする請求項２に記載の印刷機の転写部検査方法。
【請求項４】
印刷機の版胴に装着される刷版の誤装着検査と同時に前記刷版の検版を行うことを特徴とする印刷機の転写部検査方法。
【請求項５】
印刷機の版胴に刷版を装着した後、印刷開始前に、前記版胴に装着した前記刷版の検版を行うことを特徴とする印刷機の転写部検査方法。
【請求項６】
印刷機の転写部に設けられた版胴に対する刷版の誤装着の検出を行うシステムであって、
前記版胴に装着された刷版の版面の画像データを取得する撮像装置と、
前記版胴に装着された刷版の製版に使用された入稿面の画像データを保存する記憶手段と、前記記憶手段に保存された入稿面の画像データと、前記撮像装置によって取得された版面の画像データとを比較して双方の画像データの差分を求め、前記双方の画像データの差分が予め定められた閾値の範囲内にあるか否かを判定する演算手段とを有する判定装置とを備え、
刷版の誤装着検出と検版とを合わせて行うことを可能にしたことを特徴とする印刷機の転写部検査システム。
【請求項７】
１つの前記判定装置には、複数の版胴を撮像するために複数の撮像装置が備えられ、
前記記憶手段には、前記複数の撮像装置のそれぞれが撮像対象とする版胴毎に定められて、対応する各版胴に装着される刷版の入稿面の画像データと、前記複数の撮像装置のそれぞれが撮像した刷版の版面の画像データとを保存するフォルダが設けられ、
前記演算手段は、同一フォルダ内に保存された入稿面の画像データと版面の画像データとを比較する構成としたことを特徴とする請求項６に記載の印刷機の転写部検査システム。
【請求項８】
前記演算手段によって成された判定の結果を視認可能に表示する表示手段を有することを特徴とする請求項６又は請求項７に記載の印刷機の転写部検査システム。
【請求項９】
前記入稿面の画像データを前記比較装置へ入力し、判定結果を記憶するサーバを有することを特徴とする請求項６乃至請求項８のいずれか１に記載の印刷機の転写部検査システム。
【発明の詳細な説明】
【技術分野】
【０００１】
本発明は、印刷機の転写部を検査する方法、及びシステムに係り、特に印刷工程における損紙の低減、及び印刷機の版胴に対する刷版の装着間違いを防ぐのに好適な転写部の検査方法、及び検査システムに関する。
【背景技術】
【０００２】
新聞等を印刷する輪転印刷機は、給紙部、印刷部、折り部、及びレールフレーム部より構成されることを基本とする。このような基本構成を有する輪転印刷機は、一台の折り部に対して、新聞（印刷物）のページ数に応じて単数から複数の印刷部、それに応じた給紙部が備えられる。そして通常、このような折り部と印刷部等から成る輪転印刷機を１セットと称する。
【０００３】
このような輪転印刷機では、印刷を行う際、版胴と呼ばれるシリンダーに所望する刷版を装着する。１つの版胴は新聞面で４ページ分の幅を有しており、版胴全体の胴面積としては、８ページ分の面積を有している。このような版胴に装着される刷版には、２ページ長×２ページ幅（２Ｌ２Ｗ）、２ページ長×１ページ幅（２Ｌ１Ｗ）、及び１ページ長×１ページ幅（１Ｌ１Ｗ）等のものがあるが、日本では２ページ長の刷版が使用されることが一般的とされている。
【０００４】
印刷に使用する版胴の胴数は、印刷物（新聞）のページ数、カラー数が多くなるほど増すこととなる。近年では紙面のカラー化が進むと共に、ページ数の増大の影響を受け、刷版を装着する版胴、この版胴に装着される刷版共に相当な数となっている。
【０００５】
このように印刷に使用する刷版の枚数が増加すると、版胴に対する掛け間違い（誤装着）や、刷版自体の製造ミス等が生じやすくなる。なお、このようなミスは従来より課題とされてきたものでもあり、版胴に対する刷版の誤装着を防止するための技術や、刷版自体の作り間違いを防止する技術というのは数多く提案されている。
【０００６】
例えば輪転印刷機に対する刷版の誤装着を防止する技術としては、特許文献１に開示されているような技術がある。また、刷版自体の作り間違いを防止する技術としては、特許文献２に開示されているような技術がある。さらに、印刷機において使用される刷版の間違いを防止し、印刷された印刷物と使用される刷版データとの照合を行い、最終的な印刷物の刷り間違いを防止する技術が特許文献３に開示されている。
【特許文献１】特許第３５７２８３４号公報
【特許文献２】特開２０００−２７２０７８号公報
【特許文献３】特開２００５−２１２１８１号公報
【発明の開示】
【発明が解決しようとする課題】
【０００７】
上記特許文献に開示されている技術は、それぞれの工程において人為的、あるいは機械的なミスを防止する手段としては有効であると考えられる。ところが、例えば特許文献１に開示されている技術では、刷版の誤装着を防止することはできるが、刷版の製造工程に不備があった場合にはこれを発見することはできず、印刷後にこれが発見されることとなる。また、特許文献２に開示されている技術では、刷版出力データの間違いは防止することはできるが、刷版の製造ミスや、これが版胴に取り付けられる際の装着間違いは防止することはできないため、刷版を誤装着したまま印刷が成されることがある。さらに、特許文献３に開示されている技術では、版胴に対する刷版の誤装着防止、及び印刷された物が入稿データ通りのものであるかを判定することはできるが、印刷物が入稿データ通りのものかの判定は印刷が成された後に行われるため、損紙の発生や時間的ロスの発生は防ぐことができない。このため、特許文献１と同様の課題が残る。また、装置としても、２段階の検査装置を備えることとなるため、製造コスト、設置スペース共に増大することとなってしまう。
【０００８】
そこで、本発明では、上記種々の問題を解決し、版胴に対する刷版の誤装着防止、及び刷版自体の間違いの検出を同時に実施することができ、誤印刷による損紙を無くすことができる印刷機の転写部検査方法、および検査システムを提供することを目的とする。
【課題を解決するための手段】
【０００９】
上記問題を解決するためには、刷版の検査（検版）、および版胴に対する誤装着検出検査の各工程の後から印刷工程までの間に、人為的ミスの発生、すなわち人手の介在が無くなれば良いと考えられる。
【００１０】
これを踏まえ、上記目的を達成するための本発明に係る印刷機の転写部検査方法は、印刷機の版胴に装着された刷版の版面の画像データを取得し、取得した版面の画像データと予め与えられた入稿面の画像データとを比較して双方の画像データの差分を求め、前記双方の画像データの差分が予め定められた閾値の範囲内にあるか否かを判定し、印刷機上にて前記版胴に対する刷版の誤装着検出と検版とを合わせて行うことを可能にしたことを特徴とした。
【００１１】
このような検版方法によれば、刷版を版胴に装着した状態で検版、および刷版の誤装着検出が行われることとなる。このため、検査の結果が良好であった場合には、その後に人手を介在させること無く印刷工程へと移行することができる。
【００１２】
また、上記のような印刷機の転写部検査方法においては、前記閾値は許容範囲の大小に従って少なくとも２段階に分けて定め、前記双方の画像データの差分が予め定められた閾値の範囲内にあるか否かの判定は、前記閾値の段階毎に異なる結果を示すものとすることが望ましい。
【００１３】
このような方法によれば、刷版の製造、あるいは版胴に対する刷版の装着状態のいずれかにミスが生じていた場合に、判定結果の段階によってどちらに起因するミスが生じたのかを認識することが可能となる。
【００１４】
さらに、上記検査方法における前記判定において、許容範囲の小さい閾値を超える箇所が存在する判定が成された場合にはベースと異なる色彩を附して表示装置にその画像を表示し、許容範囲の大きい閾値を超える箇所が存在する判定が成された場合にはベースに警告を示す色彩を附して表示装置にその画像を表示することもできる。
【００１５】
このような表示を行うことにより、作業者がミスの発生箇所、あるいは発生状態を容易に認識することが可能となり、その後の処理の対応も容易に検討することが可能となる。
【００１６】
また、上記目的を達成するための本発明に係る印刷機の転写部検査方法は、印刷機の版胴に装着される刷版の誤装着検査と同時に前記刷版の検版を行うことを特徴とするものであっても良い。
【００１７】
さらに、本発明に係る印刷機の転写部検査方法としては、印刷機の版胴に刷版を装着した後、印刷開始前に、前記版胴に装着した前記刷版の検版を行うことを特徴とするものも含まれる。
【００１８】
また、上記目的を達成するための本発明に係る印刷機の転写部検査システムは、印刷機の転写部に設けられた版胴に対する刷版の誤装着の検出を行うシステムであって、前記版胴に装着された刷版の版面の画像データを取得する撮像装置と、前記版胴に装着された刷版の製版に使用された入稿面の画像データを保存する記憶手段と、前記記憶手段に保存された入稿面の画像データと、前記撮像装置によって取得された版面の画像データとを比較して双方の画像データの差分を求め、前記双方の画像データの差分が予め定められた閾値の範囲内にあるか否かを判定する演算手段とを有する判定装置とを備え、刷版の誤装着検出と検版とを合わせて行うことを可能にしたことを特徴とする。
【００１９】
このような構成のシステムであれば、検版と版胴に対する刷版の装着間違いの検査とを１つのシステムで、単一工程の中で行うことが可能となる。このため、システムの設置スペース、およびコストを削減することができる。また上記構成のシステムによれば、刷版を版胴に装着した状態で検版、および刷版の誤装着検出が行われることとなる。このため、検査の結果が良好であった場合には、その後に人手を介在させること無く印刷工程へと移行することができる。
【００２０】
また、上記構成のシステムでは、１つの前記判定装置には、複数の版胴を撮像するために複数の撮像装置が備えられ、前記記憶手段には、前記複数の撮像装置のそれぞれが撮像対象とする版胴毎に定められて、対応する各版胴に装着される刷版の入稿面の画像データと、前記複数の撮像装置のそれぞれが撮像した刷版の版面の画像データとを保存するフォルダが設けられ、前記演算手段は、同一フォルダ内に保存された入稿面の画像データと版面の画像データとを比較する構成とすることができる。
このような構成とすることにより、多数の版胴を有する印刷機に対応することができる。
【００２１】
また、上記構成のシステムには、前記演算手段によって成された判定の結果を視認可能に表示する表示手段を備えることもできる。
このような構成とすることにより、作業者が判定結果を目視により確認することが可能となる。
【００２２】
さらに、上記構成のシステムには、前記入稿面の画像データを前記比較装置へ入力し、判定結果を記憶するサーバを備えることもできる。
このような構成とすることにより、入稿面のデータから検版の結果までを統括的に管理することが可能となる。
【発明の効果】
【００２３】
上記のような印刷機の転写部検査方法、及びシステムによれば、版胴に対する刷版の誤装着検出、及び刷版自体の間違いの検出を１つの工程で実施することができ、誤印刷を確実に低減することができる。また誤印刷による損紙を無くすことができる。
【発明を実施するための最良の形態】
【００２４】
以下、本発明の印刷機の転写部検査方法、およびシステムに係る実施の形態について、図面を参照して詳細に説明する。なお、以下に示す実施の形態は、本発明に係る一部であり、本発明の技術的範囲は、以下の形態のみに拘束されるものでは無い。
【００２５】
まず、図１を参照して本発明の転写部の検査システム（検査システム）１００の構成について説明する。本実施形態の検査システム１００は、判定装置（コンピュータ）１０と、当該コンピュータ１０に接続されたサーバ６０、表示装置（ディスプレイ）５０、及び撮像装置（カメラ、ＣＩＳ（Contact Image Sensor））４０（４０ａ，４０ｂ）とを基本構成とする。
【００２６】
前記撮像装置４０は、全体を図示しない印刷機の印刷部に備えられる版胴７０の近傍に設置され、版胴７０に掛けられた（装着された）刷版７２の版面の画像データを取得する装置である。具体的には、撮像装置４０はライン走査が可能なラインスキャンカメラやＣＩＳ等であると良い。刷版７２が装着されている版胴７０は円筒（柱）体であり、その胴部表面に沿って装着された刷版７２の版面を平面画像として取り込むには、版胴７０の回転に合わせて一定距離に来たライン毎の走査画像を繋げ合わせる必要があるからである。撮像装置４０にラインスキャンカメラを使用した場合、１つの版胴７０に対して撮像装置４０を２台備えるようにすると良い。１つの版胴７０には、２Ｌ２Ｗあるいは２Ｌ１Ｗの刷版７２を並列に２枚並べて装着するため、各々の列に装着された刷版７２についての画像を個別に取得することができるようになるからである。また、個々の撮像装置４０ａ，４０ｂの視野を狭めることができ、取得する画像データの解像度を向上させることができる点でも有利である。
【００２７】
ラインスキャンカメラの選定に関しては、現在汎用化されているもの中から所望するものを採用すれば良い。現在汎用化されているラインスキャンカメラの画素数として一般的なものは、１０２４、２０４８、５０００、７５００画素というものが知られている。本実施形態の場合、カメラ視野Ｌはブランケット判サイズの印刷紙を対象とした刷版のサイズに合わせるため、８１３ｍｍ以上望ましくは８５０ｍｍ程度の視野が必要となる。カメラ視野Ｌにおいて所望する解像度は、版面の文字や汚れ、網目等の状態を把握する観点から１５０ＤＰＩ（Dot Per Inch）程度とすることが望ましい。この場合、上述した程度のカメラ視野サイズに必要とされる画素数は５０００画素程度となる。したがって、本実施形態で使用するラインスキャンカメラとしては、５０００画素以上を有するものとすると良い。もっとも、コスト面を考慮しなければ、カメラの台数を増やして、カメラ視野Ｌに対して必要な解像度を上昇させても良い。この場合、取得画像の判定基準をより明確にすることができるからである。
【００２８】
撮像対象物から撮像装置４０までの距離ａは数式１に示すように、ラインスキャンカメラの場合、撮像を望むカメラ視野Ｌと、カメラにおけるイメージセンサの長さＰと、レンズの焦点距離ｆによって求めることができる。
【数１】
2007260909.tif 000003
【００２９】
ここで、Ｐを３５ｍｍから４０ｍｍ程度、ｆを２８ｍｍ又は３５ｍｍとした場合、版面からラインスキャンカメラのレンズまでの距離ａは、６００ｍｍから８００ｍｍ程度とすることができる。ここで、版面までの距離ａを短くしたい場合にはｆを小さく、逆に距離ａを長くしたい場合にはｆを大きく設定すれば良い。また、取得画像の解像度を向上させたい場合には、１つのカメラによって撮像する範囲（カメラ視野Ｌ）を狭め、カメラの台数を増やすようにすることもできる。つまり、カメラの選定、設置は、上述した種々の要素を好適に組み合わせることにより成され、所望する要件での撮像を実施可能な構成とすることができるのである。
【００３０】
上述したラインスキャンカメラは、ＣＣＤ（イメージセンサ素子）に結像させた光の量をパルス信号に変換して画像データとして出力するため、撮像には相当な光量が必要となる。よって、本実施形態に係る検査システム１００では、撮像装置４０の近傍に、撮像の際の光量を補うための光源４２（４２ａ，４２ｂ）を備えるようにした。
【００３１】
また、上記のような撮像装置４０には、設置された版胴７０毎に定められた識別子（ＩＤ）が付与されており、後述するコンピュータ１０の記憶手段１６内に印刷機に備えられた複数の版胴７０の各々に対応させて作成された版胴フォルダ２６と関連付けられている。
【００３２】
前記表示装置５０は、後述するコンピュータ１０等による処理の内容、処理によって得られた結果等を作業者が目視可能に表示するためのディスプレイであり、一種の警告手段でもある。また、具体的に図示はしていないが、音声出力装置を備え、表示画像と共に音声を出力するようにしても良い。さらに本実施形態における検査システム１００では、表示装置５０に替えて音声のみを出力する音声出力装置を設置するようにしても良い。
【００３３】
前記サーバ６０は、印刷情報（ノンブル情報と画像データ）を保存、出力すると共に、後述するコンピュータ１０によって判定された検査結果を統括的に管理することができる統括コンピュータである。ここで、ノンブル情報とは、刷版７２を装着する版胴７０の情報（位置や識別子等）、版胴７０に装着する刷版７２のサイズ、印刷する際の色、印刷物が割り当てられるページ、日付、替版、復版、印刷方向等についてのデータである。ノンブル情報は、テキスト形式で渡されたり、ＴＩＦＦ（Tagged Image File Format）や、ＰＤＦ（Portable Document Format）等の形式で同時に保存されることが一般的である。このようなファイル形式であれば、１つのファイルに、文字情報だけでなく、図形やフォント、レイアウト等の複数のデータをまとめることができるからである。なお、これらの保存形式は本発明を実施する上で特に限定されるものでは無く、他の形式で保存されていても良い。
【００３４】
前記サーバ６０に保存されている印刷情報は、使用される際に、２つの出力先に対して同一データが出力されることとなる。具体的には、詳細を後述するコンピュータ１０と、詳細を図示しないＣＴＰ（Computer To Plate）とに対して同一のデータを出力するのである。出力の方式としては、サーバ６０から直接、コンピュータ１０とＣＴＰとの双方に画像データを送信する方式でも良いし、いずれか一方、例えばコンピュータ１０にのみ画像データを含む印刷情報を送信し、コンピュータ１０が入力された印刷情報のうちの画像データをコピーし、他方、すなわちＣＴＰへコピーデータを送信する方式でも良い。製版を行うＣＴＰと、版胴７０に装着された刷版７２の検査を行う検査システム１００とにおいて、基本となるデータを共有することで、検査における比較判定が可能となる。
【００３５】
前記コンピュータ１０は、インターフェース１２、演算手段（ＣＰＵ：Central Processing Unit）１４、及び記憶手段１６を有することを基本として構成される。前記インターフェース１２は、上述した撮像装置４０、表示手段５０、及びサーバ６０等の外部機器との間でデータのやり取りを行う際の仲介手段である。前記ＣＰＵ１４は、各種外部機器から入力されたデータや記憶手段１６から読み出したデータに応じて記憶手段１６に保存されたプログラムを起動させ、演算・加工を施し、出力・保存をするための中枢である。前記記憶手段１６には、種々のプログラム、及びデータが記憶（保存）されている。
【００３６】
前記記憶手段１６に保存されているプログラムとしては、入稿データ変換プログラム（入稿データ変換Ｐ）１８、データ振り分けプログラム（データ振り分けＰ）２０、画像作成処理プログラム（画像作成処理Ｐ）２２、及びデータ比較プログラム（データ比較Ｐ）２４等を挙げることができる。
【００３７】
ここで、入稿データ変換Ｐ１８とは、サーバ６０から入力された入稿面のデータ（画像データ）を、上述した撮像装置４０によって撮像される画像データと比較可能な状態に変換して入稿画像データを作成するためのプログラムである。主な変換は、画像データとしてのファイルの画像解像度の変換、及びＣ．Ｍ．Ｙ．Ｋ等のカラースケール又は、２値データからグレースケールへの変換等である。
【００３８】
また、データ振り分けＰ２０とは、前記入稿データ変換Ｐ１８によって変換された入稿画像データをノンブル情報を基に、記憶手段１６内に作成され、印刷機に備えられた各版胴７０毎に割り当てられた版胴フォルダ２６毎に振り分けて保存するプログラムである。データの振り分けは、ノンブル情報における版胴７０の情報に基づき、当該版胴７０に対応して作成されたフォルダを検索することによって行う。同一の版胴フォルダ２６内には、刷版毎、あるいは印刷されるページ毎に入稿画像データが保存されることとなる。入稿画像データは作業者が視認可能なように、上述した表示装置に表示しても良い。また、入稿画像データの保存が完了したフォルダが存在する場合に、その旨が視認できるように、表示装置に表示することもできる。
【００３９】
また、画像作成処理Ｐ２２とは、前記撮像装置４０によって１スキャン毎に送信されてくるライン状の画像データを統合して版面の撮像画像（スキャン画像データ）を構成し、撮像した撮像装置４０の識別子に対応する版胴フォルダ２６内に作成したスキャン画像データを保存する処理を行うプログラムである。
【００４０】
また、データ比較Ｐ２４とは、同一の版胴フォルダ２６内に保存された入稿画像データと、この入稿画像データに対応するスキャン画像データとを読み出し、相互の画像データを比較・判定する処理を行うプログラムである。データ比較は、基準となる画像データと比較対照となる画像データとをデジタルデータとして比較し、基準となる画像データに対する比較画像データの差分をデジタルデータとして導き出すことにより行う。そして、前記差分として導き出されたデータと、予め定められた閾値とを比較し、差分が生じた各部のデータが閾値の範囲内にあるか否かを判定し、判定結果を上述した表示装置５０に出力すると共に、必要に応じてその結果を記憶手段１６に保存する処理を行う。画像比較の手法は様々なものがあるが、一例としては、次のような手法を挙げることができる。例えば、入稿画像データがスキャン画像データの解像度に合わせて変換されている場合には、双方の画像の位置や向きを自動的に合わせ、コントラストの違いや形状の違い、その面積等を差分として導き出すことができる。なお、閾値の設定は、画像の比較方法や精度等を考慮して、予め入力しておくようにすれば良い。
【００４１】
比較結果の判定結果は、いくつかの段階に分けて表示装置に示すようにすると良い。表示装置に判定結果を示すことにより、作業者が目視により結果を確認することができるようになると共に、判定結果に基づく処置を場合分けすることが容易となるからである。例えばスキャン画像データと入稿画像データとの差分が全ての点において閾値の範囲内にある場合には、スキャン画像データは入稿画像データと一致している旨の表示、あるいはそれを示す色彩（例えば緑や青）等を示すようにすれば良い。一方、スキャン画像データと入稿画像データとの差分が閾値の範囲に全く入っていない、あるいは殆ど閾値の範囲に無いというような場合は、表示装置にスキャン画像データを表示すると共に、表示画像のベースを警告を示す色彩（例えば赤）とする処理を行うと良い。また、これと同時に図示しない警告灯や警報器を作動させるようにしても良い。また、スキャン画像データと入稿画像データとの差分が閾値の範囲に入っていない箇所が部分的にあるというような場合には、表示装置５０にスキャン画像データを表示すると共に、差分が閾値の範囲を越える部分に関して警告を示す色彩で表示するようにすると良い。なお、この場合も上記と同様に、警告灯や警報器等を作動させるようにすると良い。
【００４２】
閾値を定めるにあたっては、分割する判定の段階に従い、段階毎に定めると良い。例えば上記のような判定を行う場合は、２つの画像データの部分的な差分についてのデータ量の許容範囲を定める閾値（閾値小）と、画像全体の差分部分におけるデータ量の許容範囲を定める閾値（閾値大）とを定めるようにすれば良い。このようにして閾値を段階的に定めることによれば、差分のデータ量が閾値小のみを超えた場合には刷版自体に不具合が生じていると判定することができ、差分のデータ量が閾値大を超えた場合には刷版の誤装着が生じていると判定することができる。
【００４３】
また、表示装置５０に判定結果を表示する際に、画像データも表示する場合には、スキャン画像データと入稿画像データとをそれぞれレイヤーとして重ね、上方に重ねたレイヤーの透過率を上げるようにして表示しても良い。このような表示方法であっても作業者は、差分の大きな箇所を容易に把握することができる。
【００４４】
上記のような構成の検査システム１００によれば、曲面に貼付された刷版７２の版面の画像（スキャン画像データ）を平面画像として取得し、これをノンブル情報に基づく入稿画像データと比較することを可能としたことにより、印刷機上にて、印刷前に刷版７２の装着間違い、刷版７２自体の不具合を発見することができ、誤った刷版７２での印刷による損紙を無くすことが可能となる。
【００４５】
また、印刷機上（版胴）に刷版７２を装着した状態にて検版を行うようにしているため、検版後印刷までに刷版７２が人手に触れることが無い。このため、検版後に刷版７２の装着間違い等が生じる虞が無い。
【００４６】
以下、図２を参照して、上記システムにより印刷機における転写部検査の方法について説明する。
まず、サーバ６０が蓄積している印刷情報をコンピュータ１０に出力する（Ｓ１００）。コンピュータ１０に印刷情報が入力されると、印刷情報のうちの画像データはコピーされ、その一方が図示しないＣＴＰへと分割出力され、他方の画像データは、後に取得される刷版７２の版面の画像データ（スキャン画像データ）との照合用データとして利用されるため、以下の処理が施される（Ｓ１１０）。
【００４７】
分割出力処理された画像データについて、ＣＰＵ１４は、入稿データ変換Ｐ１８を起動させて入稿面の画像データの変換を行う（Ｓ１２０）。変換された入稿画像データ及び入稿画像データの元となった印刷情報は、ＣＰＵ１４によって起動されたデータ振り分けＰ２０により、ノンブル情報に基づいて、各版胴毎に作成された複数の版胴フォルダ２６の中の対応するフォルダに振り分けられて保存される。入稿画像データが保存された版胴フォルダ２６に関しては、入稿完了を示す旨が表示装置５０に示される（Ｓ１３０）。
【００４８】
一方、画像データが入力されたＣＴＰ（不図示）は、入力された情報に基づいて刷版７２の作成を実行する（Ｓ２００）。ＣＴＰによって作成された刷版７２は、作業者の手を介し、ノンブル情報に基づいて、対応する版胴７０へと装着される（Ｓ２１０）。版胴７０に対する刷版７２の装着が終了すると、作業者は、版胴７０を一定速度で回転させると共に、コンピュータ１０に対して、撮像装置４０を介した版面画像の取り込みを指示する旨の命令を行う（Ｓ２２０）。
【００４９】
作業者によって画像取り込み命令が入力されると、ＣＰＵ１４は画像作成処理Ｐ２２を起動させる。画像作成処理Ｐ２２が起動されると、撮像装置４０によってラインスキャンされた画像データが入力され、各撮像装置４０に対応した版胴フォルダ２６内にスキャン画像データとして保存される（Ｓ２３０）。
【００５０】
各版胴毎に割り当てられた版胴フォルダ２６内に、入稿画像データとスキャン画像データとの双方が保存されると、ＣＰＵ１４はデータ比較Ｐ２４を起動させる。データ比較Ｐ２４は、同一フォルダ内に保存された入稿画像データとスキャン画像データとを読み出し、双方の画像データをデジタル的に比較する（Ｓ３００）。そして、データ比較Ｐ２４は、閾値フォルダ２８内に保存された閾値情報を読み出し、前記２つの画像データの比較によって得られた差分が、読み出した閾値の範囲内にあるか否かを判定する（Ｓ３１０）。
【００５１】
判定により、差分が閾値の範囲内にあるとされた場合には、その結果を結果フォルダ３０に保存すると共に表示装置５０に表示し、全版胴、すなわち全ての版胴フォルダ２６について上述した比較判定処理が終了したか否かの判定が行われる（Ｓ３２０）。判定の結果、比較判定処理が終了していない版胴フォルダ２６が存在するとされた場合には、上記Ｓ１００、あるいはＳ３００の処理に戻り、再度同様の処理を実行する。具体的には、記憶手段１６に形成された版胴フォルダ２６の全てに入稿画像データとスキャン画像データが保存されている場合と、各版胴７０に対応して形成された版胴フォルダ２６に保存されるべき印刷情報がサーバ６０から入力されていない場合とを挙げることができる。例えば、記憶手段１６に形成された版胴フォルダ２６の全てに入稿画像データとスキャン画像データが保存されている場合、その後の処理は入稿画像データとスキャン画像データとの比較処理以降の処理となるため、Ｓ３００へ回帰してその後の処理が成されることとなる。一方、各版胴７０に対応して形成された版胴フォルダ２６に保存されるべき印刷情報がサーバ６０から入力されていない場合には、Ｓ１００へ回帰してデータの出力からの処理が成されることとなる。
【００５２】
これに対し、全ての版胴フォルダ２６について比較処理が完了した旨の応答が得られた場合には、各版胴７０に装着された刷版７２は、入稿データと比較して正しいものであり、その装着状態も正常であると認識することができる。よってこの場合、装着された刷版７２による印刷が開始される（Ｓ３４０）。
【００５３】
また、Ｓ３１０の処理において、差分が閾値の範囲内に無い旨の判定が下された場合には、その結果を結果フォルダ３０に保存すると共に、表示装置５０に表示する。警告は段階的なものとし、差分が閾値を越える割合がスキャン画像データの全範囲、あるいは大きな割合にあたるような場合には、スキャン画像データを表示装置５０に表示すると共に、そのベースを警告を示す色彩とする。一方、差分が閾値を越える割合がスキャン画像データの一部、あるいは僅かな範囲である場合には、スキャン画像データを表示装置５０に表示すると共に、差分が閾値を超える部分を警告を示す色彩で示すようにする（Ｓ４００）。
【００５４】
上記検査システム１００によって上記のような判定が成されることにより、作業者は、表示装置５０に表示された警告に基づき、警告の原因が刷版７２の装着間違いによるものであるのか、あるいは刷版７２自体に不具合があるのかを容易に判断することができる。なお、刷版７２自体の不具合としては、製版の間違い、版面の汚れ、傷等を挙げることができる。
【００５５】
作業者は、警告の原因が刷版の誤装着（Ｓ４２０）によるものであると判断した場合、Ｓ２１０の処理に戻り、版胴７０に対する刷版７２の装着のやり直しを行う。一方、警告の原因が刷版自体の不具合に起因するものであると判断した場合（Ｓ４１０）には、作業者は次のような処置をとることができる。まず不具合の原因が、版面の汚れによるものである場合には、作業者は版面の汚れを除去した後Ｓ２２０の処理に回帰させ、再び版面の画像取得を行い、その後の処理を実行させることができる。これに対して不具合の原因が、製版ミス、版面の傷等によるものであった場合には、作業者はＳ２００の処理に回帰して、ＣＴＰによる製版作業以降の処理を実行することとなる。
【００５６】
上記のような検査方法によれば、印刷機上にて、印刷の直前に刷版７２の誤装着、及び刷版自体の不具合を発見することができ、誤った刷版７２での印刷による損紙を無くすことが可能となる。
【００５７】
また、表示装置５０には、検査時に発見された刷版７２の誤装着、刷版自体の不具合等が警告色と共に表示されるため、作業者はその不具合を容易に発見することができる。また、表示装置５０による警告が段階的に成されることにより、作業者は、その後の処理を容易に判断することができる。
【００５８】
また、検版を含む検査が刷版７２を版胴７０に取り付けた状態で行われるため、検査終了後には作業者の手、すなわち人手を介することなく印刷工程へと移行することとなる。このため、人手の介在による人為的ミスを防止することができ、印刷物の品質を向上させることができるようになる。
【００５９】
上記実施形態において図１には、サーバ６０に対してコンピュータ１０を１台のみ接続し、コンピュータ１０には２台の撮像装置４０ａ，４０ｂを接続する構成を示した。しかし、実機においては図３に示すような構成とし、複数の版胴７０についての刷版７２の装着状態の検査及び検版を同時、あるいは短時間に行えるようにすることが望ましい。図３に示す構成では、印刷工場に設けるサーバユニットを構成するサーバ６０の上位に、ユーザーサーバ（依頼主のサーバ）９０を設け、当該ユーザーサーバ９０から印刷工場に設けるサーバ６０に印刷情報を送信するような構成としている。また、図３に示すシステムでは、サーバ６０からＣＴＰへ直接、画像データを送信するような構成としている。
【００６０】
実機におけるコンピュータ１０は、印刷部の仕様によってその付属装置の構成を異にする。仕様の違いとは、刷版７２の誤装着検査及び検版を行う印刷部が、モノクロ印刷を行うものであるのか、カラー印刷を行うものであるのかという違いである。
【００６１】
例えば、印刷部がモノクロ印刷を行うもの（モノクロタワーユニット）である場合には、２つの版胴を１つのユニットとして１台のコンピュータ１０で検査を行うようにすることが望ましい。この場合、１台のコンピュータ１０には、４台の撮像装置４０と、１台の表示装置５０を接続すると良い。２つの版胴に対する検査結果を１つの表示装置５０で確認することができるからである。
【００６２】
また、印刷部がカラー印刷を行うもの（カラータワーユニット）である場合には、８つの版胴を１つのユニットとして１台のコンピュータ１０で検査を行うようにすることが望ましい。このようなユニット構成であれば、Ｃ．Ｍ．Ｙ．Ｋの各カラーについて２胴づつに振り分けることができるからである。このような場合、１台のコンピュータ１０には１６台の撮像装置４０と、１台乃至は複数（図３においては１台）の表示装置５０を接続する構成とすると良い。各カラー毎に個別の表示装置５０に表示して検査結果を確認することもできるようになるからである。
【００６３】
このような構成の複数のコンピュータ１０を印刷工場に設けたサーバ６０に接続することにより、検査結果の統括的な管理が可能となる。もっとも、図３をもって説明した実機のシステムにおいて、サーバ６０とコンピュータ１０との役割分担は限定的なものではない。すなわち、スキャン画像データや投稿画像データ等に関する各種演算等は、個々のユニット毎にコンピュータ１０で行うようにしても良いし、サーバ６０で統括して行うようにしても良い。
【００６４】
また、版胴７０又は刷版７２には、撮像装置４０による刷版７２の撮像を開始する点を示す指標を附するようにしても良い。このような構成とすることにより、作業者による撮像開始命令のタイミングに関わり無く、刷版７２の掛け位置に合わせた画像取得が可能となる。
【００６５】
なお、冒頭にも記載したが、上述した実施形態は本発明の一部であり、その構成は周辺技術の進歩と共に変化することが予想される。したがって上記以外の形態であっても、版胴に装着される刷版の誤装着検査と同時に前記刷版の検版を行うこと、あるいは、版胴に刷版を装着した後、印刷開始前に、版胴に装着した刷版の検版を行うことができれば、本発明の一部であるとみなすことができるものとする。
【産業上の利用可能性】
【００６６】
上記のような検査システム１００では、判定結果（検査結果）をサーバ６０にて統括的に管理することができるため、検査を行った日時、結果、画像データ等を履歴ファイルとして残すことができる。このため、作業者は、前記履歴ファイルを利用して日報等を作成することができると共に、万一印刷物に不具合が生じた場合には、検査結果の履歴に基づく原因究明を行うことが可能となる。
【図面の簡単な説明】
【００６７】
【図１】本発明に係る検査システムの構成を示す図である。
【図２】図１に示す検査システムを用いた検査の工程を示すフローチャートである。
【図３】本発明に係る検査システムを実機に採用する場合の構成例を示す図である。
【符号の説明】
【００６８】
１０………判定装置（コンピュータ）、１２………インターフェース、１４………演算手段（ＣＰＵ）、１６………記憶手段、１８………入稿データ変換プログラム、２０………データ振り分けプログラム、２２………画像作成処理プログラム、２４………データ比較プログラム、２６………版胴フォルダ、２８………閾値フォルダ、３０………結果フォルダ、４０（４０ａ，４０ｂ）………撮像装置、４２（４２ａ，４２ｂ）………光源、５０………表示装置、６０………サーバ、７０………版胴、７２………刷版、１００………転写部の検査システム（検査システム）。
【図１】
2007260909.tif 000004
【図２】
2007260909.tif 000005
【図３】
2007260909.tif 000006